(57)【要約】【課題】出力の調整の段階数が少ない印象を与えるのを防止する。【解決手段】タッチ入力受付機能付き可視表示器８０は、前面パネル１００と、第１基板１３１と、タッチセンサ１３６と、第２基板１４１と、線状光源１４４とを備える。前面パネル１００は、長尺の透光窓１０４を有する。第１基板１３１は、透光窓１０４に沿う長尺の透光窓１３４を有する。タッチセンサ１３６は、第１基板１３１の前面に透光窓１３４に沿って実装される。第２基板１４１は、第１基板１３１に隙間を空けて対向配置される。線状光源１４４は、第２基板１４１の前面に透光窓１３４に沿って実装される。【選択図】図２
2014186931.tif 000002
【特許請求の範囲】
【請求項１】
タッチ入力受付機能付き可視表示器であって、
長尺の第１透光窓を有する前面パネルと、
前記前面パネルの背面側において前記前面パネルに対向配置されると共に前記第１透光窓に沿う長尺の第２透光窓を有する第１基板と、
前記第１基板の前面に前記第２透光窓に沿って実装されたタッチセンサと、
前記第１基板の背面側において前記第１基板に隙間を空けて対向配置された第２基板と、
前記第２基板の前面に前記第２透光窓に沿って実装された、複数の発光素子を有する線状光源と、
を備える可視表示器。
【請求項２】
前記第２透光窓は、前記第１基板に設けられた貫通孔である、請求項１に記載の可視表示器。
【請求項３】
前記第１透光窓は、光拡散性を有する、請求項２に記載の可視表示器。
【請求項４】
前記複数の発光素子は、等間隔に配列され、
前記第２基板と前記第１透光窓との間の距離をＬ１、隣り合う発光素子の間隔をＬ２、発光素子の配光角をθとしたとき、
Ｌ１≧Ｌ２／（２ｔａｎ（θ／２））
の関係を満たす、請求項１に記載の可視表示器。
【請求項５】
前記第１透光窓および前記第２透光窓の少なくとも一方が前記複数の発光素子から出射された光の波長を変換する波長変換材料を含有する、請求項１に記載の可視表示器。
【請求項６】
前記波長変換材料の濃度が、前記第１透光窓および前記第２透光窓の長手方向に単調に変化する、請求項５に記載の可視表示器。
【請求項７】
さらに、前記タッチセンサにより検出されたタッチ入力に基づいて前記複数の発光素子の点灯を個別に制御する制御部を備える、
請求項１に記載の可視表示器。
【請求項８】
長尺の第１透光窓を有する前面パネルと、
前記前面パネルの背面側において前記前面パネルに対向配置されると共に前記第１透光窓に沿う長尺の第２透光窓を有する第１基板と、
前記第１基板の前面に前記第２透光窓に沿って実装されたタッチセンサと、
前記第１基板の背面側において前記第１基板に隙間を空けて対向配置された第２基板と、
前記第２基板の前面に前記第２透光窓に沿って実装された、複数の発光素子を有する線状光源と、
光源ユニットと、
前記タッチセンサにより検出されたタッチ位置に応じて前記複数の発光素子の点灯を個別に制御すると共に前記光源ユニットの光出力を制御する制御部と、
を備える照明装置。
【請求項９】
前記制御部は、前記光源ユニットの光出力が大きいほど、前記複数の発光素子の個々の光出力を大きくする、
請求項８に記載の照明装置。
【発明の詳細な説明】
【技術分野】
【０００１】
本発明は、タッチ入力受付機能付き可視表示器およびこれを備える照明装置に関する。
【背景技術】
【０００２】
従来、タッチ入力により光出力のレベルが調整可能な照明装置が提案されている。この種の照明装置には、光出力のレベルを可視的に表示する可視表示器を備えるものがある。図１１に、非特許文献１に開示されたデスクスタンドの外観図を示す。デスクスタンド９０１は、ベース９１０、アーム９２０、ヘッド９３０を備える。光源ユニット９４０は、ヘッド９３０に設けられている。可視表示器９８０は、複数の透光窓９８１を有する。各透光窓９８１の背面側（ベース９１０内）には、タッチセンサとＬＥＤとが設けられている。例えば、可視表示器９８０上で左端から右向きに指をスライドさせると、左端から順番に透光窓９８１の背面のＬＥＤが点灯していき、それと共に、光源ユニット９４０の光出力が大きくなる。そして、ある所で指を離すと、そのときのＬＥＤの点灯状態がそのまま維持され、また、そのときの光源ユニット９４０の光出力がそのまま維持される。
【先行技術文献】
【非特許文献】
【０００３】
【非特許文献１】http://download.p4c.philips.com/files/6/691953166/691953166#pss#zhs.pdf
【発明の概要】
【発明が解決しようとする課題】
【０００４】
ところで、タッチセンサの位置検出の分解能を高め、それに応じて光源ユニットの光出力の調整の段階数を増やすことは容易である。しかしながら、可視表示器の設置スペースには制限があるので、透光窓の個数を増やすことは容易ではない。たとえ光源ユニットの光出力を細かに調整できたとしても、透光窓の個数が少なければ、透光窓の個数と同じ段階数でしか光出力の調整ができない印象を与えてしまう。これは製品の仕様の過小評価を招くので好ましくない。
【０００５】
本発明は、出力の調整の段階数が少ない印象を与えるのを防止できるタッチ入力受付機能付き可視表示器およびそれを備えた照明装置を提供することを目的とする。
【課題を解決するための手段】
【０００６】
本発明に係るタッチ入力受付機能付き可視表示器は、前面パネルと、第１基板と、タッチセンサと、第２基板と、線状光源とを備える。前面パネルは、長尺の第１透光窓を有する。第１基板は、前面パネルの背面側において前面パネルに対向配置されると共に第１透光窓に沿う長尺の第２透光窓を有する。タッチセンサは、第１基板の前面に第２透光窓に沿って実装される。第２基板は、第１基板の背面側において第１基板に隙間を空けて対向配置される。線状光源は、第２基板の前面に第２透光窓に沿って実装され、複数の発光素子を有する。
【０００７】
また、第２透光窓は、第１基板に設けられた貫通孔であることとしてもよい。
また、第１透光窓は、光拡散性を有することとしてもよい。
また、複数の発光素子は、等間隔に配列され、第２基板と第１透光窓との間の距離をＬ１、隣り合う発光素子の間隔をＬ２、発光素子の配光角をθとしたとき、以下の関係を満たすこととしてもよい。
【０００８】
Ｌ１≧Ｌ２／（２ｔａｎ（θ／２））
また、第１透光窓および第２透光窓の少なくとも一方が複数の発光素子から出射された光の波長を変換する波長変換材料を含有することとしてもよい。
また、波長変換材料の濃度が、第１透光窓および第２透光窓の長手方向に単調に変化することとしてもよい。
【０００９】
さらに、タッチセンサにより検出されたタッチ入力に基づいて複数の発光素子の点灯を個別に制御する制御部を備えることとしてもよい。
本発明に係る照明装置は、前面パネルと、第１基板と、タッチセンサと、第２基板と、線状光源と、光源ユニットと、制御部とを備える。前面パネルは、長尺の第１透光窓を有する。第１基板は、前面パネルの背面側において前面パネルに対向配置されると共に第１透光窓に沿う長尺の第２透光窓を有する。タッチセンサは、第１基板の前面に第２透光窓に沿って実装される。第２基板は、第１基板の背面側において第１基板に隙間を空けて対向配置される。線状光源は、第２基板の前面に第２透光窓に沿って実装され、複数の発光素子を有する。制御部は、タッチセンサにより検出されたタッチ位置に応じて複数の発光素子の点灯を個別に制御すると共に光源ユニットの光出力を制御する。
【００１０】
また、制御部は、光源ユニットの光出力が大きいほど、複数の発光素子の個々の光出力を大きくすることとしてもよい。
【発明の効果】
【００１１】
上記構成によれば、第１透光窓が長尺であり、複数の発光素子を有する線状光源が第１の透光窓に沿って設けられている。線状光源の一端に位置する発光素子を点灯させると、第１透光窓の一端が明部となる。また、線状光源の一端から中央までに位置する発光素子を点灯させると、第１透光窓の一端から中央までが明部となる。このように、第１透光窓に出現する明部を用いて出力のレベルを可視的に表示することができる。第１透光窓が一本の長尺な形状なので、そもそも「透光窓の個数と出力の調整の段階数とが同じ」という誤解を生じさせない。従って、出力の調整の段階数が少ない印象を与えるのを防止できる。
【図面の簡単な説明】
【００１２】
【図１】本発明の第１の実施形態に係るデスクスタンドの外観図
【図２】可視表示器の構造を示す分解斜視図
【図３】可視表示器の構造を示す縦断面図
【図４】ＬＥＤの配光角を模式的に示す図
【図５】可視表示器の動作を示すフローチャート
【図６】可視表示器の動作例を示す図
【図７】本発明の第２の実施形態に係る可視表示器の分解斜視図
【図８】可視表示器の動作例を示す図
【図９】本発明の第３の実施形態に係る可視表示器の分解斜視図
【図１０】本発明の第４の実施形態に係る可視表示器の動作を示すフローチャート
【図１１】非特許文献１に開示されたデスクスタンドの外観図
【発明を実施するための形態】
【００１３】
本発明を実施するための形態を、図面を参照して詳細に説明する。
＜第１の実施形態＞
［概略構成］
図１に本発明の第１の実施形態に係るデスクスタンドの外観図を示す。デスクスタンド１は、ベース１０、アーム２０およびヘッド３０を備える。
【００１４】
ベース１０は、円環状であり、固定部１１と旋回部１２とを有する。旋回部１２は、固定部１１に対して円環の中心軸回りに旋回自在に設けられている。電源配線７０は、固定部１１の背後から引き出されている。
アーム２０は、第１アーム２１と第２アーム２２とを有する。第１アーム２１と第２アーム２２は、ヒンジ２３で屈曲自在に連結され、第２アーム２２とベース１０は、ヒンジ２４で屈曲自在に連結されている。第２アーム２２は、タッチ入力受付機能付きの可視表示器８０を有している。
【００１５】
ヘッド３０は、円盤状であり、ハウジング３１と光源ユニット４０とを有する。光源ユニット４０は、電源配線７０に接続されている。光源ユニット４０には、例えば、白熱電球、蛍光灯、ＬＥＤなどが利用できる。
デスクスタンド１がヒンジ２３、２４を有しているので、光源ユニット４０の高さおよび向きを自在に調節することができる。また、デスクスタンド１が旋回部１２を有しているので、光源ユニット４０の旋回角を自在に調節することができる。
【００１６】
可視表示器８０は、光源ユニット４０の光出力のレベルを調整するためのタッチ入力を受け付ける機能と、受け付けた光出力のレベルを可視的に表示する機能とを有する。以下、可視表示器８０の構造および動作について詳細に説明する。
［可視表示器の構造］
図２は、可視表示器の構造を示す分解斜視図であり、図３は、可視表示器の構造を示す縦断面図である。可視表示器８０は、前面パネル１００、タッチセンサモジュール１３０、ＬＥＤモジュール１４０、および、背面カバー１５０を備える。本実施の形態では、前面パネル１００および背面カバー１５０は、第２アーム２２を構成する部材としても兼用されている。
【００１７】
前面パネル１００は、蓋部材１１０と導光部材１２０とを含む。蓋部材１１０は、矩形の平板部１１１と、平板部１１１の周囲に設けられた周壁部１１２とを有する。平板部１１１は、円形の貫通孔１１３と、平板部１１１の長手方向に沿う長尺の貫通孔１１４とを有する。蓋部材１１０の材料としては、例えば、着色されたＰＣ（ポリカーボネート）等の樹脂材料を利用することができる。ＰＣの着色は、例えば、顔料の含有により実現できる。導光部材１２０は、円板部１２３と、長尺部１２４と、基部１２５とを有する。円板部１２３は、蓋部材１１０の貫通孔１１３に嵌め込まれる。これにより、前面パネル１００の透光窓１０３が形成される。また、長尺部１２４は、蓋部材１１０の貫通孔１１４に嵌め込まれる。これにより、前面パネル１００の透光窓１０４が形成される。基部１２５は、円板部１２３と長尺部１２４とを連結している。導光部材１２０の材料としては、例えば、アクリル等の樹脂材料を利用することができる。また、導光部材１２０に光拡散性を持たせてもよい。光拡散性は、例えば、表面の粗面化やフィラーの混入により得ることができる。
【００１８】
タッチセンサモジュール１３０は、前面パネル１００の背面側に配置されており、第１基板１３１と、タッチセンサ１３５、１３６とを含む。第１基板１３１は、円形の貫通孔１３３と、長尺の貫通孔１３４とを有する。第１基板１３１は、貫通孔１３３が前面パネル１００の透光窓１０３に向かい合い、貫通孔１３４が前面パネル１００の透光窓１０４に沿うように、前面パネル１００に対向配置される。タッチセンサ１３５は、第１基板１３１の前面における貫通孔１３３付近に設けられている。これにより、タッチセンサ１３５は、前面パネル１００の透光窓１０３付近のタッチ検出をすることができる。タッチセンサ１３６は、ａからｌまで合計１２個あり、貫通孔１３４に沿って第１基板１３１の前面に設けられている。これにより、タッチセンサ１３６は、前面パネル１００の透光窓１０４に沿う位置のタッチ検出をすることができる。図３に示すように、第１基板１３１は、前面パネル１００の背面に近接している。これにより、タッチセンサ１３５、１３６のタッチ検出の感度を高めることができる。
【００１９】
ＬＥＤモジュール１４０は、タッチセンサモジュール１３０の背面側に配置されており、第２基板１４１と、ＬＥＤ（Light Emitting Diode）１４３、１４５と、コネクタ１４６と、制御部１４７とを含む。第２基板１４１は、タッチセンサモジュール１３０の第１基板１３１に対向配置される。ＬＥＤ１４３は、第２基板１４１の前面における第１基板１３１の貫通孔に対応する位置に実装されている。ＬＥＤ１４５は、ａからｊまで合計１０個あり、これらが直線状に等間隔に配列されて線状光源１４４を構成している。線状光源１４４は、第２基板１４１の前面において第１基板１３１の貫通孔１３４に沿って実装されている。ＬＥＤ１４３の光は、第１基板１３１の貫通孔１３３と前面パネル１００の透光窓１０３とを通過して外部に出射される。また、ＬＥＤ１４５の光は、第１基板１３１の貫通孔１３４と前面パネル１００の透光窓１０４とを通過して外部に出射される。
【００２０】
図３に示すように、第２基板１４１は、第１基板１３１との間に隙間を有している。ＬＥＤ１４５が配光角を有するので、ＬＥＤ１４５の光の照射範囲はＬＥＤ１４５から離れるほど広くなる。第２基板１４１と第１基板１３１との間に隙間を設けることで、透光窓１０４の位置においてＬＥＤ１４５の光の照射範囲をある程度広げることができる。その結果、透光窓１０４の長手方向の輝度ムラを低減することができる。なお、図４に示すように、隣り合うＬＥＤ１４５の間隔をＬ２、各ＬＥＤ１４５の配光角をθとすると、隣り合うＬＥＤ１４５の光の照射範囲が重なるまでの距離Ｌ１は、以下の通りとなる。
【００２１】
Ｌ１＝Ｌ２／（２ｔａｎ（θ／２））
従って、第２基板１４１と透光窓１０４との間の距離Ｌ１が、以下の関係を満たせば、透光窓１０４の位置において隣り合うＬＥＤ１４５の光の照射範囲を重ねることができ、その結果、透光窓１０４の長手方向の輝度ムラを低減することができる。
Ｌ１≧Ｌ２／（２ｔａｎ（θ／２））
なお、配光角θは、ＬＥＤ１４５の正面（第２基板１４１に垂直な方向）の光の強度を１００％としたとき、光の強度が５０％となる角度である。
【００２２】
コネクタ１４６は、第１基板１３１上のタッチセンサ１３５、１３６と第２基板１４１上の制御部１４７とを電気的に接続する。また、図３に示すように、コネクタ１４６は、第１基板１３１と第２基板１４１との間の隙間を適切に確保するためのスペーサとしても利用されている。制御部１４７は、タッチセンサ１３５、１３６のタッチ検出に基づいて、光源ユニット４０の点灯を制御すると共にＬＥＤ１４３、１４５の点灯を制御する。
【００２３】
背面カバー１５０は、箱部１５１と、箱部１５１の周囲に設けられた周壁部１５２とを有する。周壁部１５２が周壁部１１２に内嵌されることにより、背面カバー１５０が前面パネル１００に結合される。背面カバー１５０の材料としては、例えば、着色されたＰＣ（ポリカーボネート）等の樹脂材料を利用することができる。
［可視表示器の動作］
図５に、可視表示器の動作のフローを示す。また、図６に、可視表示器の動作例を示す。なお、透光窓１０３は、光源ユニット４０の点灯または消灯の表示に割り当てられ、透光窓１０４は、光源ユニット４０の光出力のレベルの表示に割り当てられている。
【００２４】
制御部１４７は、透光窓１０３、１０４へのタッチ検出がされると（ステップＳ１１：Ｙｅｓ）、タッチ位置Ｋを特定する（ステップＳ１２）。Ｋは、０から１０までの何れかである。図６（ａ）に、タッチ位置０〜１０と、透光窓１０３、１０４と、ＬＥＤ１４３、１４５との位置関係を示す。例えば、タッチセンサ１３５によりタッチ検出がされると、Ｋ＝０と特定される。また、タッチセンサ１３６によりタッチ位置が検出されると、１２個のタッチセンサ１３６の各々の信号強度に基づいてタッチ位置が特定される。
【００２５】
制御部１４７は、透光窓１０３へのタッチ検出があり（ステップＳ１３：Ｙｅｓ）、現在ＬＥＤ１４３が消灯状態であれば（ステップＳ１４：Ｙｅｓ）、ＬＥＤ１４３を点灯させる（ステップＳ１５）、さらに、光源ユニット４０を点灯させる（ステップＳ１６）。一方、制御部１４７は、透光窓１０３へのタッチ検出があり（ステップＳ１３：Ｙｅｓ）、現在ＬＥＤ１４３が点灯状態であれば（ステップＳ１４：Ｎｏ）、ＬＥＤ１４３、１４５（ａからｊまでの全て）を消灯させ、さらに、光源ユニット４０を消灯させる（ステップＳ１６）。これにより、透光窓１０３へのタッチ入力により、透光窓１０３の明暗を制御すると共に光源ユニット４０の点消灯を制御することができる。
【００２６】
また、制御部１４７は、透光窓１０４へのタッチ検出であれば（ステップＳ１３：Ｎｏ）、そのタッチ位置Ｋに応じたＬＥＤ１４５（ａからｋまで）を点灯させる（ステップＳ１８）。ｋは、ａからｊまでの何れかである。ＬＥＤ１４５の個々の輝度はＬ０に設定される。さらに、制御部１４７は、光源ユニット４０の光出力をタッチ位置に応じたレベルに調整する（ステップＳ１６）。例えば、図６（ｂ）の状況では、タッチ位置Ｋが、Ｋ＝５と特定され、その結果ＬＥＤ１４５のａからｅまでが点灯される。これにより、透光窓１０４の０から５までの範囲が明部となり、６から１０までの範囲が暗部となる。そして、光源ユニット４０の光出力が最大値の５０％に調整される。また、図６（ｃ）の状況では、タッチ位置Ｋが、Ｋ＝８と特定され、その結果ＬＥＤ１４５のａからｈまでが点灯される。これにより、透光窓１０４の０から８までの範囲が明部となり、９および１０の範囲が暗部となる。そして、光源ユニット４０の光出力が最大値の８０％に調整される。これにより、透光窓１０４へのタッチ入力により、透光窓１０４の明暗の範囲を調整すると共に、光源ユニット４０の光出力のレベルを調整することができる。
【００２７】
制御部１４７は、光源ユニット４０の点灯制御をすると（ステップＳ１６）、ステップＳ１１の処理に戻る。この繰り返し周期は十分に短いので、透光窓１０４上で位置０から１０に向けて指をスライドさせると、ＬＥＤ１４５がａからｊに向けて順番に点灯していき、あたかも透光窓１０４の明部の長さが連続的に変化するように見える。
［まとめ］
本実施の形態では、透光窓１０４が一本の長尺な形状なので、「透光窓の個数と出力の調整の段階数とが同じ」という誤解を生じさせない。従って、光出力の調整の段階数が少ない印象を与えるのを防止できる。
【００２８】
また、本実施の形態では、タッチセンサ１３５、１３６を実装する第１基板１３１と、ＬＥＤ１４３、１４５を実装する第２基板１４１とが別個に用意されている。そして、第１基板１３１は、前面パネル１００の背面に近接しており、第２基板１４１は、前面パネル１００の背面から離れている。これにより、タッチセンサ１３５、１３６のタッチ検出の感度を高めると共に、透光窓１０４の長手方向の輝度ムラを低減することができる。
【００２９】
＜第２の実施形態＞
第１の実施形態では、長尺の透光窓が直線状であるのに対し、第２の実施形態では、長尺の透光窓が円環状である。以下、第１の実施の形態と異なる点だけを説明する。
図７は、本発明の第２の実施形態に係る可視表示器の分解斜視図である。可視表示器２８０は、前面パネル２００、タッチセンサモジュール２３０およびＬＥＤモジュール２４０を備える。
【００３０】
前面パネル２００は、蓋部材２１０と導光部材２２０とを含む。蓋部材２１０は、平板部２１１を有する。平板部２１１には、円形の貫通孔２１３と、貫通孔２１３を中心とする円環状の長尺の貫通孔２１４とを有する。導光部材２２０は、円板部２２３と、円板部２２３を中心とする円環状の長尺部２２４と、基部２２５とを有する。円板部２２３は、蓋部材２１０の貫通孔２１３に嵌め込まれる。これにより、前面パネル２００の透光窓２０３が形成される。また、長尺部２２４は、蓋部材２１０の貫通孔２１４に嵌め込まれる。これにより、前面パネル２００の透光窓２０４が形成される。
【００３１】
タッチセンサモジュール２３０は、第１基板２３１とタッチセンサ２３５、２３６とを含む。第１基板２３１は、円形の貫通孔２３３と、貫通孔２３３を中心とする円環状の長尺の貫通孔２３４とを有する。タッチセンサ２３５は、貫通孔２３３付近に位置する。タッチセンサ２３６は、ａからｌまで合計１２個あり、貫通孔２３４に沿って並べられている。
【００３２】
ＬＥＤモジュール２４０は、第２基板２４１と、ＬＥＤ２４３、２４５と、コネクタ２４６と、制御部２４７とを含む。ＬＥＤ２４５は、ａからｊまで合計１０個あり、これらが円環状に等間隔に配列されて線状光源２４４を構成している。線状光源２４４は、第２基板２４１の前面において第１基板２３１の貫通孔１３４に沿って実装されている。
図８に可視表示器の動作例を示す。図８（ａ）には、タッチ位置０〜１０と、透光窓２０３、２０４と、ＬＥＤ２４３、２４５との位置関係が示されている。図８（ｂ）の状況では、タッチ位置Ｋが、Ｋ＝５と特定され、その結果ＬＥＤ２４５のａからｅまでが点灯される。これにより、透光窓２０４の０から５までの範囲が明部となり、６から１０までの範囲が暗部となる。また、図８（ｃ）の状況では、タッチ位置Ｋが、Ｋ＝８と特定され、その結果ＬＥＤ２４５のａからｈまでが点灯される。これにより、透光窓２０４の０から８までの範囲が明部となり、９および１０の範囲が暗部となる。
【００３３】
本実施の形態では、透光窓２０４が一本の長尺な形状なので、光出力の調整の段階数が少ない印象を与えるのを防止できる。このように、透光窓は、一本の長尺な形状であればよく、直線や円環など形状は問われない。
＜第３の実施形態＞
第１の実施形態では、長尺の透光窓が１本であるのに対し、第３の実施形態では、長尺の透光窓が２本である。これは、光源ユニット４０の光出力の調整対象が２種類（例えば、明るさと色）の場合に利用できる。以下、第１の実施の形態と異なる点だけを説明する。
【００３４】
図９は、本発明の第３の実施形態に係る可視表示器の分解斜視図である。可視表示器３８０は、前面パネル３００、タッチセンサモジュール３３０、ＬＥＤモジュール３４０および背面カバー３５０を備える。
前面パネル３００は、蓋部材３１０と導光部材３２０とを含む。蓋部材３１０は、平板部３１１を有する。平板部３１１には、円形の貫通孔３１３と、長尺の貫通孔３１４ａ、３１４ｂとを有する。導光部材３２０は、円板部３２３と、長尺部３２４ａ、３２４ｂと、基部３２５とを有する。円板部３２３は、蓋部材３１０の貫通孔３１３に嵌め込まれる。これにより、前面パネル３００の透光窓３０３が形成される。また、長尺部３２４ａ、３２４ｂは、それぞれ蓋部材３１０の貫通孔３１４ａ、３１４ｂに嵌め込まれる。これにより、前面パネル３００の透光窓３０４ａ、３０４ｂが形成される。
【００３５】
タッチセンサモジュール３３０は、第１基板３３１とタッチセンサ３３５、３３６ａ、３３６ｂとを含む。第１基板３３１は、円形の貫通孔３３３と、長尺の貫通孔３３４ａ、３３４ｂとを有する。タッチセンサ３３６ａ、３３６ｂは、それぞれ貫通孔３３４ａ、３３４ｂに沿って並べられている。
ＬＥＤモジュール３４０は、第２基板３４１と、ＬＥＤ３４３、３４５と、コネクタ３４６と、制御部３４７とを含む。ＬＥＤ３４５は、２０個あり、これらが２列に直線状に等間隔に配列されて線状光源３４４ａ、３４４ｂを構成している。線状光源３４４ａ、３４４ｂは、第２基板３４１の前面において第１基板３３１の貫通孔３３４ａ、３４４ｂに沿って実装されている。
【００３６】
このように、光源ユニット４０の光出力の調整対象が２種類の場合は、２本の透光窓３０４ａ、３０４ｂを設けることとしてもよい。光出力の調整対象が３種類以上の場合は、その種類と同数の透光窓を設ければよい。
＜第４の実施形態＞
第１の実施形態では、点灯させるＬＥＤの個数にかかわらずＬＥＤの個々の輝度を固定的にＬ０としているのに対し、第４の実施形態では、点灯させるＬＥＤの個数に応じてＬＥＤの個々の輝度を変化させる。以下、第１の実施の形態と異なる点だけを説明する。
【００３７】
図１０に、第４の実施形態に係る可視表示器の動作のフローを示す。第１の実施形態とは、ステップＳ２８Ａ、Ｓ２８Ｂだけが異なる。
制御部１４７は、透光窓１０４へのタッチ検出であれば（ステップＳ２３：Ｎｏ）、そのタッチ位置Ｋに応じたＬＥＤ１４５の輝度Ｌｋを特定する（ステップＳ２８Ａ）。輝度Ｌｋの特定は、例えば、タッチ位置Ｋと輝度Ｌｋとを対応付けたテーブルの参照により実現することができる。このテーブルは、制御部１４７に予め組み込まれているものとする。そして、制御部１４７は、特定した輝度ＬｋでＬＥＤ１４５（ａからｋまで）を点灯させる（ステップＳ２８Ｂ）。
【００３８】
これにより、点灯させるＬＥＤの個数に応じてＬＥＤの個々の輝度を変化させることができる。例えば、光源ユニット４０の光出力を小さくすれば、それに伴い可視表示器の周囲が暗くなる。このとき、可視表示器のＬＥＤの輝度が固定的であれば、可視表示器が過度に明るく感じる場合がある。そこで、光源ユニット４０の光出力が小さいほど、即ち、可視表示器の点灯するＬＥＤ１４５の個数が少ないほど、各ＬＥＤ１４５の輝度を低く設定しておく。そうすると、光源ユニット４０の光出力を小さくした場合でも、可視表示器が過度に明るく感じることを防止することができる。
【００３９】
＜変形例＞
（１）可視表示器の表示色
上記実施の形態では、可視表示器の表示色は特に言及されていない。表示色は、ＬＥＤの色により任意に設定することができる。ＬＥＤの色としては、例えば、赤色、橙色、緑色、青色、白色などが一般に入手可能である。また、白色の場合は、電球色、温白色、白色、昼白色、昼光色などが一般に入手可能である。
【００４０】
また、表示色は、透光窓に波長変換材料を含有させることでも任意に設定することができる。波長変換材料としては、例えば、蛍光体を利用することができる。
なお、表示色は透光窓の長手方向に均一である必要はなく、透光窓の長手方向に沿って異ならせることとしてもよい。これは、例えば、線状光源を構成する各ＬＥＤの色を異ならせることで実現することができる。また、透光窓に波長変換材料を含有させる場合は、透光窓の長手方向に波長変換材料の濃度を単調に変化させることでも実現することができる。
【００４１】
また、第３の実施形態のように、透光窓が２本ある場合は、それらの間で表示色を異ならせることとしてもよい。
（２）第１基板の透光窓
上記実施の形態では、第１基板の貫通孔１３３、１３４が透光窓となっているが、本発明は、これに限られない。第１基板の貫通孔１３３、１３４に光透過性材料を充填したり、光透過性部材を嵌め込んだりしてもよい。また、これらの光透過性材料や光透過性部材に光拡散性を持たせてもよい。
【００４２】
（３）ＬＥＤの輝度
上記実施の形態では、可視表示器のＬＥＤを複数点灯させるときは、何れも同じ輝度で点灯させている。例えば、図６（ｂ）の例では、ＬＥＤ１４５（ａ〜ｅ）の何れも同じ輝度である。しかしながら、本発明は、これに限られない。例えば、ＬＥＤ１４５（ｅ）の輝度を、それ以外の明部のＬＥＤ１４５（ａ〜ｄ）の輝度と異ならせてもよい。これにより、明部と暗部の境界を明確化したり曖昧化したりできる可能性がある。
【００４３】
（４）デスクスタンド
上記実施の形態では、ベースが机上に載置されるデスクスタンドを例に挙げて説明しているが、本発明は、これに限られない。例えば、ベースが天井に取り付けられる照明装置でもよい。また、ベースが床上に載置されるフロアスタンドでもよい。
また、上記実施の形態では、可視表示器は光源ユニットと一体であるが、本発明は、これに限られない。可視表示器と光源ユニットが別体でもよい。例えば、光源ユニットが部屋の天井に設けられ、可視表示器が部屋の壁に設けられていてもよい。
【００４４】
さらに、上記実施の形態では、可視表示器は照明装置に利用されているが、本発明は、これに限られない。出力のレベルが調整可能な装置であれば、同じように利用することができる。例えば、音量が調整可能なオーディオ機器や、風量が調整可能な空気清浄機に利用してもよい。
（５）変形例の組み合わせ
上記実施の形態および変形例を適宜組み合わせることとしてもよい。
【符号の説明】
【００４５】
１    デスクスタンド
１０    ベース
２０    アーム
３０    ヘッド
４０    光源ユニット
７０    電源配線
８０    可視表示器
１００    前面パネル
１０３    透光窓
１０４    透光窓
１１０    蓋部材
１１１    平板部
１１２    周壁部
１１３、１１４    貫通孔
１２０    導光部材
１２３    円板部
１２４    長尺部
１２５    基部
１３０    タッチセンサモジュール
１３１    第１基板
１３３、１３４    貫通孔
１３５、１３６    タッチセンサ
１４０    ＬＥＤモジュール
１４１    基板
１４３、１４５    ＬＥＤ
１４４    線状光源
１４６    コネクタ
１４７    制御部
１５０    背面カバー
１５１    箱部
１５２    周壁部
【図１】
2014186931.tif 000003
【図２】
2014186931.tif 000004
【図３】
2014186931.tif 000005
【図４】
2014186931.tif 000006
【図５】
2014186931.tif 000007
【図６】
2014186931.tif 000008
【図７】
2014186931.tif 000009
【図８】
2014186931.tif 000010
【図９】
2014186931.tif 000011
【図１０】
2014186931.tif 000012
【図１１】
2014186931.tif 000013